(57)【要約】【課題】  ダビング後のサーチが容易な映像記録再生装置を提供する。【解決手段】  ダビング後のサーチが容易な映像記録再生装置を実現するＶＣＲ＿ＭＰＵが実行する処理は、ＤＶＤ＿ＭＰＵとの間で通信するステップ（Ｓ６１６）と、カセットテープからの再生信号からＶＩＳＳを検出した場合に（Ｓ６２８にてＹＥＳ）、ＤＶＤ＿ＭＰＵへの信号に含まれるインデックスビットを「１」に設定するステップ（Ｓ６３０）と、予め定められた時間が経過した場合に（Ｓ６３４にてＹＥＳ）、インデックスビットを「０」に設定して、通信信号をＤＶＤ＿ＭＰＵに送信するステップ（Ｓ６３６）とを含む。【選択図】        図６
2006344305.tif 000002
【特許請求の範囲】
【請求項１】
ランダムアクセス可能な記録媒体に信号を記録するデータ記録装置と、磁気テープに記録されている映像音声信号を再生する再生装置とを備え、前記磁気テープには、前記映像音声信号の記録の状態を表わすための制御信号がさらに記録されており、前記制御信号は、前記映像音声信号の記録の開始を表わすインデックス信号を含み、
前記再生装置は、
前記磁気テープを駆動する駆動手段と、
前記磁気テープから、前記映像音声信号と前記制御信号とを読み出す再生手段と、
前記データ記録装置に対して、前記映像音声信号を転送する転送手段と、
前記データ記録装置との間で、デジタルデータを通信する通信手段と、
前記制御信号から前記インデックス信号を検出する検出手段と、
前記インデックス信号を検出した場合に、前記デジタルデータにおいて予め定められたビットの値を予め定められた第１の値から予め定められた第２の値に変更して通信データを生成する生成手段と、
前記データ記録再生装置に対する前記映像音声信号の転送に合わせて前記通信データを前記データ記録装置に送信するように、前記通信手段を制御する通信制御手段と、
時刻を計測する計時手段と、
前記インデックス信号の検出から予め定められた時間経過した後に、前記予め定められたビットの値を前記第２の値から前記第１の値に戻す復帰手段とを備え、
前記データ記録装置は、
前記再生装置から、前記映像音声信号と前記通信データとを受信する受信手段と、
前記受信手段により受信された映像音声信号に基づいて、前記記録媒体に格納するためのデジタル信号を生成する記録データ生成手段と、
前記記録媒体に前記デジタル信号を書き込む書込手段と、
前記通信データから前記予め定められたビットの値を取得する取得手段と、
前記予め定められたビットの値が前記第２の値であるか否かを判断する判断手段と、
前記予め定められたビットの値が前記第２の値である場合に、前記デジタル信号を識別するための識別情報を生成する識別情報生成手段と、
前記識別情報を前記デジタル信号に関連付けて記録する識別情報記録手段とを備える、映像記録再生装置。
【請求項２】
ランダムアクセス可能な記録媒体に信号を記録するデータ記録装置と、磁気テープに記録されている映像音声信号を再生する再生装置とを備え、前記磁気テープには、前記映像音声信号の記録の状態を表わすための制御信号がさらに記録されており、
前記再生装置は、
前記磁気テープを駆動する駆動手段と、
前記磁気テープから、前記映像音声信号と前記制御信号とを読み出す再生手段と、
前記データ記録装置に対して、前記映像音声信号を転送する転送手段と、
前記データ記録装置との間でデータを通信する通信手段と、
前記制御信号に基づいて、前記映像音声信号の記録の開始を検知する第１の検知手段と、
前記記録の開始の検知に基づいて、前記映像音声信号の記録の開始を通知するための通信データを生成する生成手段と、
前記データ記録再生装置に対する前記映像音声信号の転送に合わせて前記通信データを前記データ記録装置に送信するように、前記通信手段を制御する通信制御手段とを備え、
前記データ記録装置は、
前記再生装置から、前記映像音声信号と前記通信データとを受信する受信手段と、
前記受信手段により受信された映像音声信号に基づいて、前記記録媒体に格納するためのデジタル信号を生成する記録データ生成手段と、
前記記録媒体に前記デジタル信号を書き込む書込手段と、
前記通信データに基づいて、前記映像音声信号の記録の開始を検知する第２の検知手段と、
前記記録の開始の検知に基づいて、前記デジタル信号を識別するための識別情報を生成する識別情報生成手段と、
前記識別情報を前記デジタル信号に関連付けて記録する識別情報記録手段とを備える、映像記録再生装置。
【請求項３】
前記制御信号は、前記映像音声信号の記録の開始を表わすインデックス信号を含み、
前記第１の検知手段は、前記制御信号から前記インデックス信号を検出し、
前記生成手段は、前記インデックス信号の存在を通知するための情報を有する通信データを生成する通信データ生成手段を含み、
前記第２の検知手段は、前記インデックス信号の存在を通知する情報に基づいて、前記映像音声信号の記録の開始を検知する開始検知手段を含む、請求項２に記載の映像記録再生装置。
【請求項４】
前記通信データは予め定められたビット列を有するデジタルデータであり、
前記通信データ生成手段は、前記ビット列において予め定められたビットの値を予め定められた第１の値から予め定められた第２の値に変更することにより前記通信データを生成し、
前記開始検知手段は、
前記通信データから前記予め定められたビットの値を取得する取得手段と、
前記予め定められたビットの値が前記予め定められた値であるか否かを判断する判断手段とを含み、
前記識別情報生成手段は、前記予め定められたビットの値が前記予め定められた第２の値である場合に、前記デジタル信号を識別するための識別情報を生成する、請求項３に記載の映像記録再生装置。
【請求項５】
前記再生装置は、
時刻を計測する計時手段と、
前記映像音声信号の記録の開始の検知から予め定められた時間経過した後に、前記予め定められたビットの値を前記第２の値から前記第１の値に戻す復帰手段とをさらに備える、請求項４に記載の映像記録再生装置。
【発明の詳細な説明】
【技術分野】
【０００１】
本発明は、複数の記録媒体を再生可能な映像記録再生装置に関する。本発明は、より特定的には、いずれかの記録媒体に格納されている映像音声信号を他の記録媒体に記録するダビング機能を有する映像記録再生装置に関する。
【背景技術】
【０００２】
アナログ形式により磁気テープ等に記録された映像音声信号をデジタル形式により記録するために、アナログデータの再生機能とデジタルデータの記録機能とを有するデータ記録再生装置が提案されている（たとえば特開２００４−２８８３００号公報（特許文献１））。このデータ記録再生装置は、たとえばＶＣＲ（Video  Cassette  Recorder）とＤＶＤ（Digital  Versatile  Disk）レコーダとにより実現される。このような装置は、いわゆるダビングのために予め準備されたダビングボタンの押下に応答して、ビデオカセットからＤＶＤへのダビングを実行する。これにより、たとえば複数のテレビ番組がアナログ形式で記録されていても、一括してデジタルデータとしてＤＶＤに記録される。
【特許文献１】特開２００４−２８８３００号公報
【発明の開示】
【発明が解決しようとする課題】
【０００３】
しかしながら、このような装置によれば、アナログ形式で複数の番組として記録されていたものが、デジタル形式では１つの所謂コンテンツとして一括して記録されるという問題があった。そのため、データ記録再生装置の使用者は、ＶＣＲの再生時には利用できた頭出し機能を利用できなかった。
【０００４】
本発明は、上述の問題点を解決するためになされたものであって、その第１の目的は、映像音声データのダビング後においても映像音声の再生を容易に実現することができる映像記録再生装置を提供することである。
【０００５】
本発明の第２の目的は、ダビングにより記録された映像の検索を速やかに行うことができる映像記録再生装置を提供することである。
【０００６】
本発明の第３の目的は、ダビングの対象となるデータに含まれているタイトル情報を、ダビング時に生成できる映像記録再生装置を提供することである。
【課題を解決するための手段】
【０００７】
上記の課題を解決するために、この発明のある局面に従うと、映像記録再生装置は、ランダムアクセス可能な記録媒体に信号を記録するデータ記録装置と、磁気テープに記録されている映像音声信号を再生する再生装置とを備える。磁気テープには、映像音声信号の記録の状態を表わすための制御信号がさらに記録されている。制御信号は、映像音声信号の記録の開始を表わすインデックス信号を含む。再生装置は、磁気テープを駆動する駆動手段と、磁気テープから、映像音声信号と制御信号とを読み出す再生手段と、データ記録装置に対して、映像音声信号を転送する転送手段と、データ記録装置との間で、デジタルデータを通信する通信手段と、制御信号からインデックス信号を検出する検出手段と、インデックス信号を検出した場合に、デジタルデータにおいて予め定められたビットの値を予め定められた第１の値から予め定められた第２の値に変更して通信データを生成する生成手段と、データ記録再生装置に対する映像音声信号の転送に合わせて通信データをデータ記録装置に送信するように、通信手段を制御する通信制御手段と、時刻を計測する計時手段と、インデックス信号の検出から予め定められた時間経過した後に、予め定められたビットの値を第２の値から第１の値に戻す復帰手段とを備える。データ記録装置は、再生装置から、映像音声信号と通信データとを受信する受信手段と、受信手段により受信された映像音声信号に基づいて、記録媒体に格納するためのデジタル信号を生成する記録データ生成手段と、記録媒体にデジタル信号を書き込む書込手段と、通信データから予め定められたビットの値を取得する取得手段と、予め定められたビットの値が第２の値であるか否かを判断する判断手段と、予め定められたビットの値が第２の値である場合に、デジタル信号を識別するための識別情報を生成する識別情報生成手段と、識別情報をデジタル信号に関連付けて記録する識別情報記録手段とを備える。
【０００８】
この発明の他の局面に従う映像記録再生装置は、ランダムアクセス可能な記録媒体に信号を記録するデータ記録装置と、磁気テープに記録されている映像音声信号を再生する再生装置とを備える。磁気テープには、映像音声信号の記録の状態を表わすための制御信号がさらに記録されている。再生装置は、磁気テープを駆動する駆動手段と、磁気テープから、映像音声信号と制御信号とを読み出す再生手段と、データ記録装置に対して、映像音声信号を転送する転送手段と、データ記録装置との間でデータを通信する通信手段と、制御信号に基づいて、映像音声信号の記録の開始を検知する第１の検知手段と、記録の開始の検知に基づいて、映像音声信号の記録の開始を通知するための通信データを生成する生成手段と、データ記録再生装置に対する映像音声信号の転送に合わせて通信データをデータ記録装置に送信するように、通信手段を制御する通信制御手段とを備える。データ記録装置は、再生装置から、映像音声信号と通信データとを受信する受信手段と、受信手段により受信された映像音声信号に基づいて、記録媒体に格納するためのデジタル信号を生成する記録データ生成手段と、記録媒体にデジタル信号を書き込む書込手段と、通信データに基づいて、映像音声信号の記録の開始を検知する第２の検知手段と、記録の開始の検知に基づいて、デジタル信号を識別するための識別情報を生成する識別情報生成手段と、識別情報をデジタル信号に関連付けて記録する識別情報記録手段とを備える。
【０００９】
好ましくは、制御信号は、映像音声信号の記録の開始を表わすインデックス信号を含む。第１の検知手段は、制御信号からインデックス信号を検出する。生成手段は、インデックス信号の存在を通知するための情報を有する通信データを生成する通信データ生成手段を含む。第２の検知手段は、インデックス信号の存在を通知する情報に基づいて、映像音声信号の記録の開始を検知する開始検知手段を含む。
【００１０】
好ましくは、通信データは予め定められたビット列を有するデジタルデータである。通信データ生成手段は、ビット列において予め定められたビットの値を予め定められた第１の値から予め定められた第２の値に変更することにより通信データを生成する。開始検知手段は、通信データから予め定められたビットの値を取得する取得手段と、予め定められたビットの値が予め定められた値であるか否かを判断する判断手段とを含む。識別情報生成手段は、予め定められたビットの値が予め定められた第２の値である場合に、デジタル信号を識別するための識別情報を生成する。
【００１１】
好ましくは、再生装置は、時刻を計測する計時手段と、映像音声信号の記録の開始の検知から予め定められた時間経過した後に、予め定められたビットの値を第２の値から第１の値に戻す復帰手段とをさらに備える。
【発明の効果】
【００１２】
本発明に係る映像記録再生装置によると、映像音声データのダビング時に、記録されるデータを識別する情報が当該データに関連付けて記憶されるため、映像音声の再生が容易になる。また、この情報に基づいて、ダビングの対象となるデータに含まれているタイトル情報が生成される。したがって、この情報を用いることにより、ダビングにより記録された映像の検索が速やかに実現できる。
【発明を実施するための最良の形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
図１を参照して、本発明に係る映像記録再生装置の一態様であるＤＶＤレコーダ１００について説明する。図１は、ＤＶＤレコーダ１００のハードウェア構成を表わすブロック図である。なお、当該映像記録再生装置は、ＤＶＤレコーダに限られず、ＨＤＤ（Hard  Disk  Drive）レコーダその他のデジタルデータの記録および再生が可能な装置であればよい。
【００１５】
ＤＶＤレコーダ１００は、ＤＶＤの記録再生機能に加えて、アナログ形式のビデオカセットテープの再生機能を備える。ＤＶＤレコーダ１００は、映像信号を受信するためのアンテナ１０２と、選局の指示に基づいて指定されたチャンネルの信号を取得するチューナ１０４と、外部から信号の入力を受ける外部入力部１０６と、外部から指示の入力を受ける操作部１０８と、リモコン端末（図示しない）により発信された赤外線制御信号を受信する受光部１１０とを備える。
【００１６】
ＤＶＤレコーダ１００は、さらに、自己の動作の状態を表示する表示部１１２と、時刻を計測する計時回路１１４と、ＤＶＤの記録および再生機能を実現するために予め定められた処理を実行するＤＶＤ制御ユニット１２０と、ＶＣＲの再生機能を実現するために予め定められた処理を実行するＶＣＲ制御ユニット１３０とを備える。ＤＶＤ制御ユニット１２０は、外部から入力されたデータと予め準備されたデータとを格納するメモリ１２２と、外部から入力される制御信号とメモリ１２２に格納されているデータとに基づいてＤＶＤ制御ユニット１２０により実現される機能を実行する処理を行なうＭＰＵ（Micro  Processor  Unit）２００とを含む。ＶＣＲ制御ユニット１３０は、外部から入力されるデータとＶＣＲ機能を実現するために予め準備されたデータとを格納するメモリ１３２と、ＶＣＲ機能を実現するために予め定められた処理を実行するＭＰＵ３００とを含む。
【００１７】
ＤＶＤレコーダ１００は、さらにＭＰＥＧ（Moving  Picture  Experts  Group）エンコーダ１４０と、ＭＰＥＧデコーダ１４２と、Ｄ／Ａ（Digital  to  Analog）コンバータ１４４と、ＯＳＤ（On  Screen  Display）画像生成回路１４６と、合成回路１４８と、ＤＶＤ駆動装置１５０と、出力部１５４と、ＶＣＲ駆動装置１６０とを備える。
【００１８】
ＭＰＥＧエンコーダ１４０は、チューナ１０４により取得された映像音声信号あるいは外部入力部１０６を介して入力された信号の入力を受ける。ＭＰＥＧエンコーダ１４０は、ＤＶＤ制御ユニット１２０により出力された制御信号に基づいて、入力された映像音声信号を圧縮符号化する。ＭＰＥＧエンコーダ１４０により生成された映像音声信号は、ＤＶＤ駆動装置１５０に送出される。
【００１９】
ＤＶＤ駆動装置１５０には、ＤＶＤ１５２が装着される。ＤＶＤ駆動装置１５０は、ＤＶＤ制御ユニット１２０により出力される記録指示に基づいてＭＰＥＧエンコーダ１４０からの映像データをＤＶＤ１５２に記録する。ＭＰＥＧデコーダ１４２は、ＤＶＤ駆動装置１５０から出力される映像データの入力を受ける。ＭＰＥＧデコーダ１４２は、ＤＶＤ制御ユニット１２０により出力される制御信号に基づいてその映像データを復号化処理する。ＭＰＥＧデコーダ１４２から出力される信号は、Ｄ／Ａコンバータ１４４に入力される。Ｄ／Ａコンバータ１４４は、入力されるデジタル信号をアナログ信号に変換して出力する。
【００２０】
ＯＳＤ画像生成回路１４６は、ＤＶＤ制御ユニット１２０またはＶＣＲ制御ユニット１３０により出力される指示に基づいて、映像が表示される領域に表示するための画像データを生成する。ＯＳＤ画像生成回路１４６は、その画像データを合成回路１４８に対して送出する。
【００２１】
合成回路１４８は、Ｄ／Ａコンバータ１４４からの映像信号とＯＳＤ画像生成回路１４６からの画像データとを合成して、合成された信号を出力する。出力部１５４は、合成回路１４８により生成された信号の入力を受け、外部に出力する。
【００２２】
ＶＣＲ駆動装置１６０には、ビデオカセット１６２が装着される。ＶＣＲ駆動装置１６０は、ＶＣＲ制御ユニット１３０により出力される制御信号に基づいて、テープ（図示しない）に記録されている映像音声信号とその映像音声信号の記録状態を表わす制御信号とを読み出す。ＶＣＲ駆動装置１６０により読み出された映像音声信号は、合成回路１４８に送出される。合成回路１４８は、前述のように入力される映像信号とＯＳＤ画像生成回路１４６からの画像データとを合成して、合成により生成された信号を出力部１５４に対して出力する。
【００２３】
出力部１５４には、ケーブル１９０を介してテレビ１７０が接続されている。テレビ１７０は、ＤＶＤレコーダ１００により出力される映像信号に基づいて映像を表示領域に表示する。
【００２４】
図２を参照して、本実施の形態に係るＤＶＤレコーダ１００を実現するＤＶＤ制御ユニット１２０について説明する。図２は、ＤＶＤ制御ユニット１２０が備えるＭＰＵ２００の機能的構成を表わすブロック図である。
【００２５】
ＤＶＤ＿ＭＰＵ２００は、データバス（図示しない）を介して外部との間でデータの入出力を行なう入出力部２１０と、ＶＣＲ制御ユニット１３０との間の通信を制御する通信制御部２２０と、操作部１０８を介して入力される指示に基づいてダビングの指示を検知するダビング指示検知部２３０と、チューナ１０４による選局処理またはＤＶＤ駆動装置１５０に対するデータの記録あるいはＤＶＤからの再生を制御するためのＤＶＤ制御部２４０と、ＶＣＲ制御ユニット１３０に送信されるデータを生成する通信データ生成部２５０と、ＶＣＲ制御ユニット１３０によって送信される映像信号から、制御信号に含まれるインデックスビットを検出するインデックスビット検出部２６０と、操作部１０８を介して入力される指示あるいはインデックスビット検出部２６０により検出されたビットに基づいて、タイトルを分割するために予め定められた処理を実行するタイトル分割処理部２７０と、外部から入力される指示あるいはインデックスビット検出部２６０により検出されるビットに基づいて、ＤＶＤ１５２に記録される映像データにチャプタを挿入するためのチャプタ挿入処理部２８０とを含む。
【００２６】
タイトル分割処理部２７０は、インデックスビット検出部２６０により検出されたビットの値が予め定められた値であるか否かを判断する判断部と、そのビットの値が予め定められた値である場合に、映像音声信号を識別するための識別情報を生成する生成部とを含む。
【００２７】
図３を参照して、ＶＣＲ制御ユニット１３０を実現するＶＣＲ＿ＭＰＵ３００について説明する。図３は、ＶＣＲ＿ＭＰＵ３００の機能的構成を表わすブロック図である。
【００２８】
ＶＣＲ＿ＭＰＵ３００は、データバス（図示しない）を介してメモリ１３２あるいはＶＣＲ制御ユニット１３０の外部との間でデータの入出力を行なう入出力部３１０と、操作部１０８を介して入力された指示に基づいてダビング指示を検知するダビング指示検知部３２０と、ＶＣＲ駆動装置１６０の動作を制御するためのＶＣＲ制御部３３０と、ビデオカセット１６２に記録されている制御信号であるＶＩＳＳ（Video  Index  Search  System）信号を検出するＶＩＳＳ信号検出部３４０と、ＤＶＤ制御ユニット１２０に対して送信されるデータを生成する通信データ生成部３５０と、ＤＶＤ制御ユニット１２０との間の通信を制御する通信制御部３６０とを含む。
【００２９】
図４を参照して、ビデオカセット１６２について説明する。図４は、ビデオカセット１６２が有するテープ４００における信号の格納の一態様を表わす図である。
【００３０】
テープ４００は、映像音声信号を格納するための領域４１０と、制御信号を格納するための領域４２０とを含む。領域４１０には、チューナ１０４を介して受信された映像音声信号が格納されている。あるいはＤＶＤレコーダ１００以外の記録装置が既にデータを記録している場合には、その装置によって生成された映像音声信号が格納される。
【００３１】
領域４２０には、映像音声信号の記録に応じて生成された制御信号が格納されている。たとえば通常の映像音声信号が記録されている場合には、制御信号としてデューティ比が６：４と設定された信号が格納される。また映像音声信号と他の映像音声信号とが区切られている場合には、その区切りの部分には、デューティ比が３：７に変更された制御信号が格納される。たとえば同一のテープ４００に対してテレビ番組の録画を何度も繰り返した場合には、各々の録画に応じてデューティ比３：７の制御信号が生成され、領域４２０に格納される。
【００３２】
なお、テープ４００における映像音声信号と制御信号との記録の態様は、当業者にとって容易に理解できるため、詳細な説明はここでは繰り返さない。
【００３３】
図５を参照して、本実施の形態に係るＤＶＤレコーダ１００の内部において通信されるデータについて説明する。図５は、ＶＣＲ制御ユニット１３０とＤＶＤ制御ユニット１２０との間で通信されるデータの構成を表わす図である。
【００３４】
通信データ５００は、たとえば１２バイトのデータである。１番目のバイト５１０には、ヘッダ情報が格納されている。４番目のバイト５２０には、ＶＣＲ駆動装置１６０により駆動されているテープの状態を表わす情報が格納されている。７番目のバイト５３０には、ダビングを制御するためのデータが格納されている。なお、本実施の形態において、ダビングとは、ＶＣＲ駆動装置１６０に装着され得るビデオカセット（たとえばビデオカセット１６２）からＤＶＤ駆動装置１５０に装着され得るＤＶＤ（ＤＶＤ１５２）に対する映像音声信号の転送をいう。本発明に係る映像記録再生装置がＨＤＤレコーダとして実現される場合には、転送先はＨＤＤとなる。１２番目のバイトには、チェックサム信号が格納されている。
【００３５】
７番目のバイト５３０における第５番目のビット５４０には、インデックスビットが格納される。このインデックスビットは、ＶＣＲ駆動装置１６０からＤＶＤ駆動装置１５０に転送される映像音声信号において録画の切れ目が存在するか否かを表わすデータである。たとえば、映像音声信号が通常に記録されている場合には、インデックスビットは、「０」に設定される。一方、録画の切れ目、すなわち図４に示される制御信号がデューティ比３：７である場合には、インデックスビットは、「１」に変更される。この変更の処理の態様については、後述する。
【００３６】
図６および図７を参照して、本実施の形態に係るＤＶＤレコーダ１００の制御構造について説明する。図６は、ＶＣＲ＿ＭＰＵ３００が実行する処理の手順を表わすフローチャートである。図７は、ＤＶＤ＿ＭＰＵ２００が実行する処理の手順を表わすフローチャートである。
【００３７】
図６を参照して、ステップＳ６１２にて、ＶＣＲ＿ＭＰＵ３００は、操作部１０８に対する操作に応じた信号の入力に基づいて、ダビング指示の入力を検知する。ステップＳ６１４にて、ＶＣＲ＿ＭＰＵ３００は、ビデオカセット１６２がＶＣＲ駆動装置１６２に装着されているか否かを判断する。ビデオカセット１６２がＶＣＲ駆動装置１６２に装着されている場合には（ステップＳ６１４にてＹＥＳ）、処理はステップ６１６に移される。そうでない場合には（ステップＳ６１４にてＮＯ）、処理は終了する。
【００３８】
ステップＳ６１６にて、ＶＣＲ＿ＭＰＵ３００は、ＤＶＤ＿ＭＰＵ２００との間で予め定められた通信処理を実行する。この通信処理が実行されると、ＶＣＲ＿ＭＰＵ３００は、ＤＶＤ１５２がＤＶＤ駆動装置１５０に装着されているか否かを識別するためのデータを取得する。ＶＣＲ＿ＭＰＵ３００は、そのデータに基づいてＤＶＤ駆動装置１５０におけるディスクの装着状態を検知する。
【００３９】
ステップＳ６１８にて、ＶＣＲ＿ＭＰＵ３００は、録画可能なＤＶＤ１５２がＤＶＤ駆動装置１５０に装着されているか否かを判断する。ＤＶＤ１５２がＤＶＤ駆動装置１５０に装着されている場合には（ステップＳ６１８にてＹＥＳ）、処理はステップＳ６２０に移される。そうでない場合には（ステップＳ６１８にてＮＯ）、処理は終了する。
【００４０】
ステップＳ６２０にて、ＶＣＲ＿ＭＰＵ３００は、操作部１０８を介した入力に基づいてダビングモードの入力を受ける。ここでダビングモードとは、いわゆるタイトルを自動的に分割するか否かを設定するためのデータ、あるいは、いわゆるチャプタを自動的に生成するか否かを設定するためのデータをいう。当該設定のためのデータは、ＤＶＤレコーダ１００の使用者の操作により入力される。なお、ここで、「自動的」とは、予め定められた基準に基づいてＤＶＤレコーダ１００の内部処理により生成されることをいう。
【００４１】
ステップＳ６２２にて、ＶＣＲ＿ＭＰＵ３００は、ダビングのための準備を実行する。この準備は、たとえばＶＣＲ駆動装置１６０における再生動作を一時停止の状態に切り換えるための処理、ＤＶＤ駆動装置１５０における録画処理を一時停止の状態に設定するための処理等を含む。このとき、ＶＣＲ＿ＭＰＵ３００は、ＤＶＤ＿ＭＰＵ２００との間の通信処理により、ＤＶＤ駆動装置１５０におけるダビングのための準備の進行状態を表わす情報を取得する。
【００４２】
ステップＳ６２４にて、ＶＣＲ＿ＭＰＵ３００は、ＤＶＤ＿ＭＰＵ２００から受信した情報と、ＶＣＲ駆動装置１６０から受信したデータとに基づいて、ダビングの準備が完了しているか否かを判断する。ここでダビングの準備は、ＶＣＲ駆動装置１６０における準備とＤＶＤ駆動装置１５０における準備とを含む。いずれの準備も完了している場合には（ステップＳ６２４にてＹＥＳ）、処理はステップＳ６２６に移される。そうでない場合には（ステップＳ６２４にてＮＯ）、処理はステップＳ６２４に戻される。
【００４３】
ステップＳ６２６にて、ＶＣＲ＿ＭＰＵ３００は、ＶＣＲ駆動装置１６０に対してビデオカセット１６２の再生を指示する信号を出力する。ＶＣＲ駆動装置１６０は、その信号に応答して、ビデオカセット１６２に記録されている映像音声信号および制御信号の読み出しを開始する。
【００４４】
ステップＳ６２８にて、ＶＣＲ＿ＭＰＵ３００は、ＶＣＲ駆動装置１６０により再生された信号から制御信号（ＶＩＳＳ信号）を検出したか否かを判断する。この判断は、たとえばＶＣＲ駆動装置１６０が再生処理を実行している間継続的に行なわれる。ＶＣＲ＿ＭＰＵ３００がＶＩＳＳ信号を検出したと判断した場合には（ステップＳ６２８にてＹＥＳ）、処理はステップＳ６３０に移される。そうでない場合には（ステップＳ６２８にてＮＯ）、処理はステップＳ６３８に移される。
【００４５】
ステップＳ６３０にて、ＶＣＲ＿ＭＰＵ３００は、ＤＶＤ＿ＭＰＵ２００への通信信号に含まれるインデックスビットを「１」に設定する。ステップＳ６３２にて、ＶＣＲ＿ＭＰＵ３００は、その通信信号をＤＶＤ＿ＭＰＵ２００に対して送信する。
【００４６】
ステップＳ６３４にて、ＶＣＲ＿ＭＰＵ３００は、計時回路１１４からの時刻情報に基づいて、予め定められた時間が経過しているか否かを判断する。予め定められた時間が経過している場合には（ステップＳ６３４にてＹＥＳ）、処理はステップＳ６３６に移される。そうでない場合には（ステップＳ６３４にてＮＯ）、処理は再びステップＳ６３４に戻され、同様の処理が繰り返される。
【００４７】
ステップＳ６３６にて、ＶＣＲ＿ＭＰＵ３００は、インデックスビットを「０」に設定して通信信号を生成する。ＶＣＲ＿ＭＰＵ３００は、その通信信号をＤＶＤ＿ＭＰＵ２００に対して送信する。
【００４８】
ステップＳ６３８にて、ＶＣＲ＿ＭＰＵ３００は、操作部１０８を介した入力に基づいてあるいはビデオカセット１６２におけるテープの終了部分の検知に応答して、ダビングを終了するか否かを判断する。ＶＣＲ＿ＭＰＵ３００がダビングを終了すると判断すると（ステップＳ６３８にてＹＥＳ）、処理はステップＳ６４０に移される。そうでない場合には（ステップＳ６３８にてＮＯ）、処理はステップＳ６２８に戻される。
【００４９】
ステップＳ６４０にて、ＶＣＲ＿ＭＰＵ３００は、ダビングの終了を指示する信号をＤＶＤ＿ＭＰＵ２００に対して送信する。この信号は、ＤＶＤ制御ユニット１２０とＶＣＲ制御ユニット１３０との間で定期的に通信される制御信号に含まれてもよい。あるいは、ＶＣＲ＿ＭＰＵ３００が上述の通信信号において予め定められたビットをダビングの終了指示を表わすビットに変更して、変更後のビットが含まれる信号を送信してもよい。
【００５０】
ステップＳ６４２にて、ＶＣＲ＿ＭＰＵ３００は、ＶＣＲ駆動装置１６０に対して装着されているビデオカセット１６２の再生の終了を指示する信号を出力する。ＶＣＲ駆動装置１６０は、その信号の入力に応答して、ビデオカセット１６２の駆動を停止し、また信号の読み出しを終了する。
【００５１】
図７を参照して、ステップＳ７１２にて、ＤＶＤ＿ＭＰＵ２００は、ＶＣＲ＿ＭＰＵ３００から通信信号を受信する。ＤＶＤ＿ＭＰＵ２００は、その信号の中からＤＶＤ駆動装置１５０の動作を規定するための信号を読み出す。
【００５２】
ステップＳ７１４にて、ＤＶＤ＿ＭＰＵ２００は、通信信号はダビングの指示を含んでいるか否かを判断する。ダビングの指示が含まれている場合には（ステップＳ７１２にてＹＥＳ）、処理はステップＳ７１６に移される。そうでない場合には（ステップＳ７１４にてＮＯ）、処理はステップＳ７４０に移される。
【００５３】
ステップＳ７１６にて、ＤＶＤ＿ＭＰＵ２００は、ＤＶＤ１５２がＤＶＤ駆動装置１５０に装着されているか否かを判断する。ＤＶＤ１５２がＤＶＤ駆動装置１５０に装着されている場合には（ステップＳ７１６にてＹＥＳ）、処理はステップＳ７１８に移される。そうでない場合には（ステップＳ７１６にてＮＯ）、処理はステップＳ７５０に移される。
【００５４】
ステップＳ７１８にて、ＤＶＤ＿ＭＰＵ２００は、ＶＣＲ＿ＭＰＵ３００に対して、ＤＶＤ１５２に対する録画が可能であることを表わすデータを有する通信信号を送信する。
【００５５】
ステップＳ７２０にて、ＤＶＤ＿ＭＰＵ２００は、ＶＣＲ＿ＭＰＵ３００から受信する通信信号の中から、指定されたダビングモードを取得する。ここでダビングモードとは、ＤＶＤ１５２に対する映像の記録を行なうために、ＤＶＤレコーダ１００の使用者により指定される情報をいう。この情報には、たとえばデータの圧縮レート、あるいはチャプタの分割あるいはタイトルの自動生成などを実行するか否かを表わすデータ等を含む。
【００５６】
ステップＳ７２２にて、ＤＶＤ＿ＭＰＵ２００は、通信信号に含まれるデータ（ダビングモード）に基づいて、ＤＶＤ駆動装置１５０を録画の一時停止状態に設定するための信号を出力する。この信号が出力されると、ＤＶＤ駆動装置１５０は、データ記録再生ヘッド（図示しない）を介して信号の記録を開始できるように、一時的に待機する状態に切り換わる。
【００５７】
ステップＳ７２４にて、ＤＶＤ＿ＭＰＵ２００は、ダビングの開始の指示を検知したか否かを判断する。ＤＶＤ＿ＭＰＵ２００がその指示を検知すると（ステップＳ７２４にてＹＥＳ）、処理はステップＳ７２６に移される。そうでない場合には（ステップＳ７２４にてＮＯ）、処理は再びステップＳ７２４に戻される。
【００５８】
ステップＳ７２６にて、ＤＶＤ＿ＭＰＵ２００は、予め定められた基準に基づいてタイトル番号を初期化する。ステップＳ７２８にて、ＤＶＤ＿ＭＰＵ２００は、ＭＰＥＧエンコーダ１５０から出力される信号をＤＶＤ１５２に記録する。
【００５９】
ステップＳ７３０にて、ＤＶＤ＿ＭＰＵ２００は、通信信号に含まれるインデックスビットが「０」であるか否かを判断する。そのインデックスビットが「０」である場合には（ステップＳ７３０にてＹＥＳ）、処理はステップＳ７３２に移される。そうでない場合には（ステップＳ７３０にてＮＯ）、処理はステップＳ７２８に戻される。
【００６０】
ステップＳ７３２にて、ＤＶＤ＿ＭＰＵ２００は、タイトル番号を「１」カウントアップする。ステップＳ７３４にて、ＤＶＤ＿ＭＰＵ２００は、そのインデックスビットに対応する映像信号の記憶領域とタイトル番号とが関連付けられた管理データを生成する。
【００６１】
ステップＳ７３６にて、ＤＶＤ＿ＭＰＵ２００は、通信信号からダビングの終了指示を受信したか否かを判断する。ＤＶＤ＿ＭＰＵ２００がその指示を受信したと判断した場合には（ステップＳ７３６にてＹＥＳ）、処理はステップＳ７３８に移される。そうでない場合には（ステップＳ７３６にてＮＯ）、処理はステップＳ７２８に戻される。
【００６２】
ステップＳ７３８にて、ＤＶＤ＿ＭＰＵ２００は、ＤＶＤ駆動装置１５０に対して録画を終了するための信号を出力する。ＤＶＤ駆動装置１５０は、その信号の入力に応答して、ＤＶＤ１５２に対する信号の記録を終了するように、データ記録再生ヘッド（図示しない）に指示を送る。
【００６３】
ステップＳ７４０にて、ＤＶＤ＿ＭＰＵ２００は、通信信号に応じて予め定められた他の処理を実行する。ステップＳ７５０にて、ＤＶ＿ＭＰＵ２００は、ＤＶＤ駆動装置１５０にディスクが装着されていないことを通知するためのデータを生成し、そのデータが含まれる通信信号をＶＣＲ＿ＭＰＵ３００に対して送信する。
【００６４】
ここで、図８および図９を参照して、本実施の形態に係るＤＶＤレコーダ１００により映像が記録されたＤＶＤ１５２について説明する。図８および図９は、それぞれＤＶＤ１５２におけるデータの記録の態様を表わす図である。
【００６５】
図８に示されるように、ＤＶＤ１５２は、データを格納するための領域８１０〜８５０を含む。ＤＶＤ１５２における管理を表わすデータは、領域８１０に格納されている。ビデオカセットテープからのダビングにより生成されたデータは、それぞれ領域８３０〜８５０に格納されている。
【００６６】
領域８１０は、さらに領域８１２〜８１６を含む。映像データが格納されている領域を表わすデータ領域アドレスは、領域８１２に格納されている。ビデオカセットテープからのダビング時に自動的に生成されたチャプタは、領域８１４に格納されている。各々の映像データのタイトルは、領域８１６に格納されている。たとえばレコード８６０は、タイトル「ＴＩＴＬＥ＿００１」を有する映像データを表わすデータを含む。このデータは、アドレス「ａｄｄｒｅｓｓ００１」により特定される領域に格納されている。このタイトルには、チャプタ番号「１」が設定されている（領域８１４）。
【００６７】
さらに、レコード８６２は、タイトル「ＴＩＴＬＥ＿００１」について２つ目の映像データを管理するデータを含む。この映像データは、アドレス「ａｄｄｒｅｓｓ００２」により特定される領域に格納されている。このタイトルには、チャプタ「２」が設定されている（領域８１４）。この場合、同一のタイトルに対してチャプタを自動的に生成するための設定がダビングの開始時に行なわれているため、図８に示されるようにチャプタの番号が１つずつカウントアップするように生成されている。
【００６８】
図９は、タイトルを自動生成する設定が行なわれた後のＤＶＤ１５２における、ダビング後のデータの構成を表わす図である。ＤＶＤ１５２は、データを格納する領域９１０〜９５０を含む。
【００６９】
ディスクを管理するためのデータは、領域９１０に格納されている。ビデオカセットテープからのダビングにより生成されたデータは、領域９３０〜９５０にそれぞれ格納されている。ここで、領域９３０に格納されているデータ「ＴＩＴＬＥ＿００１．ＭＰＧ」は、チャプタが「１」として設定されている。この場合、ダビングの当初において設定されたデータは、タイトルを自動的に生成するための設定であるため、映像信号の切れ目ごとにタイトルが自動的に生成される。このとき生成されるデータは、たとえば予め使用者により入力された文字データと番号とを組み合せることにより生成される。
【００７０】
領域９１０は、さらに領域９１２〜９１６を含む。各タイトルが格納されている領域を表わすデータ領域アドレスは、領域９１２に格納されている。各映像データのチャプタを表わす番号は、領域９１４に格納されている。自動的に生成されたタイトルのデータは、領域９１６に格納されている。たとえば、レコード９６０は、タイトル「ＴＩＴＬＥ＿００１」についての管理データを含む。このタイトルが関連付けられている映像データは、アドレス「ａｄｄｒｅｓｓ００１」により特定される領域に格納されている。この映像データは、チャプタ「１」が設定されている。
【００７１】
なお、タイトルの番号が自動的に生成される一方、チャプタに関しては生成の指示がない場合には、図９に示されるように初期値としてチャプタが設定されなくてもよい。この場合、チャプタが格納される領域は、ブランクになる。またダビングの後に使用者がチャプタ番号を任意に書き換えることが可能であってもよい。
【００７２】
図１０および図１１を参照して、ＤＶＤレコーダ１００が接続されるテレビ１７０における表示態様について説明する。図１０および図１１は、それぞれテレビ１７０の表示領域における状態を表わす図である。
【００７３】
図１０を参照して、テレビ１７０は、ダビングを行なう場合に設定の入力を受けるための画面１０００を表示する。この表示は、タイトル自動分割モードをオンにするか否かを表わす表示と、チャプタを自動的に挿入するか否かを規定するためのデータの入力を受ける領域とを含む。図１０に示される例では、タイトルを自動的に分割する機能が「ＯＮ」に設定されている。この設定は、たとえばＶＣＲ制御ユニット１３０に含まれるメモリ１３２あるいはＤＶＤ制御ユニット１２０に含まれるメモリ１２２において予め定められた管理領域に格納される。この場合、ＤＶＤ＿ＭＰＵ２００は、映像の記録時にそのデータに基づいてタイトルを自動的に分割する。
【００７４】
図１１を参照して、ＶＣＲ駆動装置１６０からＤＶＤ駆動装置１５０へのダビングが完了した場合には、その旨を通知するための画面が表示される。テレビ１７０は、表示領域１１０において、実際にダビングにより生成されたタイトル名と各々の録画時間とを表示する。図１１に示される例では、３つのタイトルが生成されている。
【００７５】
テレビ１７０は、さらにタイトルを変更するための入力を受ける画面に切り換えるための「タイトル編集メニュー」を表示する。使用者は、図１１に示されるタイトル名（たとえば「ＴＩＴＬＥ＿００１」）を変更するために、この領域を選択することによりテキストの入力を行なう画面に切り換えることができる。
【００７６】
以上のようにして、本実施の形態に係るＤＶＤレコーダ１００によると、ビデオカセット１６２に記録されている映像音声信号と制御信号との読み出し時に、制御信号の内容が確認される。その制御信号が、インデックス信号を含んでいる場合には、ＶＣＲ制御ユニット１３０からＤＶＤ制御ユニット１２０に送信されるインデックスビットの値が変更される。たとえば通常の値「０」から「１」に変更される。ＤＶＤ制御ユニット１２０は、そのインデックスビットに基づいて映像信号の内容を識別するためのデータ（たとえばタイトル番号あるいはチャプタ番号）を自動的に生成する。
【００７７】
このようにすると、ＤＶＤレコーダ１００は、ビデオカセット１６２において記録されている制御信号に応じて映像信号を識別するためのデータをＤＶＤ１５２においても記録することができる。その結果、ＤＶＤレコーダ１００の使用者は、たとえばダビング処理の後に映像を検索するための処理を容易に実行することができる。また、ＤＶＤレコーダ１００は、指示された映像を速やかに再生することができるため、利便性が向上し得る。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】本発明に係るデータ記録再生装置の一態様であるＤＶＤレコーダ１００のハードウェア構成を表わすブロック図である。
【図２】ＤＶＤレコーダ１００のＤＶＤ制御ユニット１２０が備えるＭＰＵ２００の機能的構成を表わすブロック図である。
【図３】ＤＶＤレコーダ１００のＶＣＲ制御ユニット１３０が備えるＶＣＲ＿ＭＰＵ３００の機能的構成を表わすブロック図である。
【図４】ビデオカセット１６２が有するテープ４００における信号の格納の一態様を表わす図である。
【図５】ＶＣＲ制御ユニット１３０とＤＶＤ制御ユニット１２０との間で通信されるデータの構成を表わす図である。
【図６】ＶＣＲ＿ＭＰＵ３００が実行する処理の手順を表わすフローチャートである。
【図７】ＤＶＤ＿ＭＰＵ２００が実行する処理の手順を表わすフローチャートである。
【図８】ＤＶＤレコーダ１００により映像が記録されたＤＶＤ１５２におけるデータの記録の態様を表わす図（その１）である。
【図９】ＤＶＤレコーダ１００により映像が記録されたＤＶＤ１５２におけるデータの記録の態様を表わす図（その２）である。
【図１０】ＤＶＤレコーダ１００が接続されるテレビ１７０の表示領域における状態を表わす図（その１）である。
【図１１】ＤＶＤレコーダ１００が接続されるテレビ１７０の表示領域における状態を表わす図（その２）である。
【符号の説明】
【００８０】
１００  ＤＶＤレコーダ、１０２  アンテナ、１０４  チューナ、１０６  外部入力部、１０８  操作部、１１０  受光部、１１２  表示部、１１４  計時回路、１２０  ＤＶＤ制御ユニット、１２２，１３２  メモリ、１４０  ＭＰＥＧエンコーダ、１４２  ＭＰＥＧデコーダ、１４４  Ｄ／Ａコンバータ、１４８  合成回路、１５０  ＤＶＤ駆動装置、１５２  ＤＶＤ、１５４  出力部、１６０  ＶＣＲ駆動装置、１６２  ビデオカセット、１７０  テレビ、１９０  ケーブル、２００  ＤＶＤ＿ＭＰＵ、２１０，３１０  入出力部、２２０，３６０  通信制御部、２３０，３２０  ダビング指示検知部、２４０  ＤＶＤ制御部、２５０，３５０  通信データ生成部、２６０  インデックスビット検出部、２７０  タイトル分割処理部、２８０  チャプタ挿入処理部、３００  ＶＣＲ＿ＭＰＵ、３３０  ＶＣＲ制御部、３４０  ＶＩＳＳ信号検出部、４００  テープ。
【図１】
2006344305.tif 000003
【図２】
2006344305.tif 000004
【図３】
2006344305.tif 000005
【図４】
2006344305.tif 000006
【図５】
2006344305.tif 000007
【図６】
2006344305.tif 000008
【図７】
2006344305.tif 000009
【図８】
2006344305.tif 000010
【図９】
2006344305.tif 000011
【図１０】
2006344305.tif 000012
【図１１】
2006344305.tif 000013